(57)【特許請求の範囲】
【請求項１】
光源から発せられた光を読み取り原稿の所定領域に導くための内部空間が長手状に延びるようにして形成され、かつこの内部空間と繋がる上部開口が形成されたケースを有し、上記上部開口に嵌め込まれる長手状の透明カバーに密着させて搬送される読み取り原稿に、上記光源からの光を照射し、その反射光を上記ケースの下部に取り付けられた基板に搭載された複数の受光素子において受光する一方、上記基板に搭載された複数の発熱素子のうちの適宜の発熱素子を発熱させることによって記録紙に画像を形成する画像読み書き一体ヘッドであって、
上記基板は、幅方向の一側部よりの部位が上記ケースからはみ出しており、このはみ出した部位における上面に、上記各発熱素子が長手状に延びるようにして列状に搭載されており、かつ、上記透明カバーは、上記基板の一側部に向かう方向ほど、上記基板からの距離が大きくなるように傾斜して配置されていることを特徴とする、画像読み書き一体ヘッド。
【請求項２】
上記ケースの上記基板がはみ出す側の側面は、その上端部が下端部よりも上記基板の他側部に向かう方向側に変移している、請求項１に記載の画像読み書き一体ヘッド。
【請求項３】
光源から発せられた光を読み取り原稿の所定領域に導くための内部空間が長手状に延びるようにして形成され、かつこの内部空間と繋がる上部開口が形成されたケースを有し、上記上部開口に嵌め込まれる長手状の透明カバーに密着させて搬送される読み取り原稿に、上記光源からの光を照射し、その反射光を上記ケースの下部に取り付けられた基板に搭載された複数の受光素子において受光する一方、上記基板に搭載された複数の発熱素子のうちの適宜の発熱素子を発熱させることによって記録紙に画像を形成する画像読み書き一体ヘッドであって、
上記基板は、幅方向の一側部よりの部位が上記ケースからはみ出しており、このはみ出した部位における上面に、上記各発熱素子が長手状に延びるようにして列状に搭載されており、かつ、上記ケースの上記基板がはみ出す側の側面は、その上端部が下端部よりも上記基板の他側部に向かう方向側に変移していることを特徴とする、画像読み書き一体ヘッド。
【請求項４】
光源から発せられた光を読み取り原稿の所定領域に導くための内部空間が長手状に延びるようにして形成され、かつこの内部空間と繋がる上部開口が形成されたケースを有し、上記上部開口に嵌め込まれる長手状の透明カバーに密着させて搬送される読み取り原稿に、上記光源からの光を照射し、その反射光を上記ケース内に収容配置された集光レンズによって集光して上記ケースの下部に取り付けられた基板に搭載された複数の受光素子において受光する一方、上記基板に搭載された複数の発熱素子のうちの適宜の発熱素子を発熱させることによって記録紙に画像を形成する画像読み書き一体ヘッドであって、
上記基板は、幅方向の一側部よりの部位が上記ケースからはみ出しており、このはみ出した部位における上面に、上記各発熱素子が長手状に延びるようにして列状に搭載されており、
上記集光レンズは、上記基板の幅方向の他側部に向かう方向側に傾倒した状態で上記ケース内に配置されていることを特徴とする、画像読み書き一体ヘッド。
【請求項５】
請求項１ないし４のいずれかに記載した画像読み書き一体ヘッドであって、上記内部空間の内壁面の少なくとも一部は、光反射率の高い白色系の反射面とされていることを特徴とする、画像読み書き一体ヘッド。
【請求項６】
上記ケースは、白色系の樹脂によって形成されているとともに、上記各受光素子を収容配置する空間室を有しており、かつ、この空間室の内壁面を覆うようにして光反射防止手段が設けられて、上記空間室の内壁面よりも光反射率の低い光吸収面によって上記各受光素子の列が囲まれている、請求項５に記載の画像読み書き一体ヘッド。
【請求項７】
上記光吸収面は、上記空間室内に嵌合装着された黒色系の部材によって構成されている、請求項６に記載の画像読み書き一体ヘッド。
【請求項８】
上記光吸収面は、上記空間室の内壁面に塗着形成された黒色系の塗装膜、または上記空間室の内壁面に接着された黒色系のシートもしくはフィルムによって構成されている、請求項６に記載の画像読み書き一体ヘッド。
【請求項９】
請求項１ないし４のいずれかに記載した画像読み書き一体ヘッドであって、上記内部空間内に、上記光源から発せられた光を読み取り領域に効率良く導くための透明の導光部材が収容されていることを特徴とする、画像読み書き一体ヘッド。
【発明の詳細な説明】
【０００１】
【発明の属する技術分野】
本願発明は、画像読み取り機能と、熱転写方式または感熱方式による画像形成機能を併せ持つ画像読み書き一体ヘッドに関する。
【０００２】
【従来の技術】
ファクシミリ装置などの画像処理装置においては、画像読み取り機能と画像形成機能とを併せ持つ必要があり、また、画像処理装置の小型化の要請にも応える必要があることから、画像読み取りと画像形成の双方を行うことができる画像読み書き一体ヘッドが提案されている。この種の画像読み書き一体ヘッドとしては、図６に示すような構成のものがある。この図に示された画像読み書き一体ヘッドＹは、上部開口１０が形成され、この上記開口１０に透明カバー２が嵌め込まれたケース１を有し、このケース１の内部には、上記透明カバー２に設定される読み取りラインＬを照明するための光源３が配置されている。そして、上記ケース１の下部にはさらに、長手状に形成された基板４が取り付けられており、この基板４の上面４Ａおよび下面４Ｂには、長手方向に列状に並ぶようにして複数個の受光素子４ａおよび複数個の発熱素子４ｂがそれぞれ搭載されている。
【０００３】
このように構成された画像読み書き一体ヘッドＹでは、原稿送り用のプラテンローラＰ1 の回転によって上記透明カバー２に密着して読み取り原稿Ｄが搬送されるが、この過程において原稿Ｄが上記光源３からの光によって照明される。そして、原稿Ｄからの反射光は、上記読み取りラインＬと上記各受光素子４ａの間には配置された集光レンズ５によって集光され、原稿Ｄの画像が上記受光素子４ａの列上に結像される。これにより原稿Ｄの画像データが得られる。一方、記録紙送り用のプラテンローラＰ2 の回転によって記録紙Ｋが上記各発熱素子４ｂに密着して搬送されるが、この過程において原稿Ｄの画像データに基づいて選択された適宜の発熱素子４ｂを発熱させることによって記録紙Ｋに画像が形成される。
【０００４】
【発明が解決しようとする課題】
上記画像読み書き一体ヘッドＹでは、上記ケース１の上部開口１０に嵌め込まれた透明カバー２に密着して原稿Ｄが搬送されるようになされており、上記基板４の下面４Ｂに搭載された各発熱素子４ｂに密着して記録紙Ｋが搬送されるようになされている。つまり、原稿送り用のプラテンローラＰ1 が上記画像読み書き一体ヘッドＹの上部に配置される一方で、記録紙送り用のプラテンローラＰ2 が上記画像読み書き一体ヘッドＹの下部に配置されることになる。したがって、上記画像読み書き一体ヘッドＹを組み込んだ画像処理装置では、各プラテンローラＰ1 ，Ｐ2 の配置の都合上から、上下寸法を小さくして画像処理装置全体としての小型化を図るのが困難であった。
【０００５】
また、従来においては、上記ケース１を黒色の樹脂によって形成するのが通常であった。これは、上記各発熱素子４ａを収容すべく上記ケース１に形成された空間室１１内において、集光レンズ５を通過した光が乱反射しないようにするためである。すなわち、上記空間室１１内において乱反射した光が上記各受光素子４ａにおいて受光されたならば、読み取り画像の解像度が悪くなるといった不具合が生じるからである。
【０００６】
しかしながら、上記ケース１を黒色樹脂によって一体的に形成した場合には、上記光源３からの光を上記読み取りラインＬに導くために形成された内部空間１２の内壁面１２ａも黒色とされてしまう。上記光源３からの光は、上記内壁面１２ａにおいて反射しつつ上記読み取りラインＬに達するため、上記内壁面１２ａが黒色とされた場合には、読み取りラインＬに照明されるべき光の多くが上記内壁面１２ａにおいて吸収されてしまう。このため、上記読み取りラインＬにおける照度が低くなるといった不具合を生じ、これを解消するために光源として発光量の大きい高価な光源を用いたり、あるいは光源数を増やすなどして対応する必要があった。これでは、製造コストが高くなるばかりか、ランニングコストも高くなってしまう。
【０００７】
本願発明は、上記した事情のもとで考え出されたものであって、画像処理装置の小型化を実現することができ、しかも、読み取り画像の解像度を悪化させることなく簡易かつ安価な手段によって読み取りラインにおける照度を高めることができる画像読み書き一体ヘッドを提供することをその課題としている。
【０００８】
【発明の開示】
上記の課題を解決するため、本願発明では、次の技術的手段を講じている。
【０００９】
すなわち、本願発明の第１の側面により提供される画像読み書き一体ヘッドは、光源から発せられた光を読み取り原稿の所定領域に導くための内部空間が長手状に延びるようにして形成され、かつこの内部空間と繋がる上部開口が形成されたケースを有し、上記上部開口に嵌め込まれる長手状の透明カバーに密着させて搬送される読み取り原稿に、上記光源からの光を照射し、その反射光を上記ケースの下部に取り付けられた基板に搭載された複数の受光素子において受光する一方、上記基板に搭載された複数の発熱素子のうちの適宜の発熱素子を発熱させることによって記録紙に画像を形成する画像読み書き一体ヘッドであって、上記基板は、幅方向の一側部よりの部位が上記ケースからはみ出しており、このはみ出した部位における上面に、上記各発熱素子が長手状に延びるようにして列状に搭載されており、かつ、上記透明カバーは、上記基板の一側部に向かう方向ほど、上記基板からの距離が大きくなるように傾斜して配置されていることを特徴としている。
【００１０】
上記構成においては、上記透明カバーに密着させて原稿を搬送させるための原稿送り用のプラテンローラが上記透明カバー（ケース）の上方に配置される一方、上記基板の上面に搭載された発熱素子の列に密着させて記録紙を搬送させるための記録紙送り用のプラテンローラが、上記基板のはみ出した部位の上方（ケースの側方）に配置されることになる。このため、本願発明の画像読み書き一体ヘッドを組み込んだ画像処理装置では、記録紙送り用のプラテンローラが上記ケースの側方に配置されているので、従来のような上記ケースの上方および下方に原稿送り用および記録紙送り用のプラテンローラがそれぞれ配置された構成と比較すれば、画像処理装置の厚み方向の寸法を格段に小さくすることができる。
【００１１】
また、上記画像読み書き一体ヘッドでは、上記透明カバーが上記基板の一側部に向かう方向ほど、上記基板からの距離が大きくなるように傾斜して配置されている。すなわち、上記透明カバーは、記録紙送り用のプラテンローラ側（基板の一側部に向かう方向側）の方が、上記基板の他側部側方向よりも高くなるようになされている。このような構成では、上記透明カバーが上記基板に対して平行とされた構成よりも、原稿送り用のプラテンローラの回転中心が、記録紙送り用のプラテンローラ用からより大きく退避することになる。すなわち、本願発明の画像読み書き一体ヘッドでは、原稿送り用のプラテンローラと記録紙送り用のプラテンローラとの距離を大きく確保することができる。このようにして上記各プラテンローラの距離を大きく設定できれば、たとえ原稿送りと記録紙送りとを同時に行ったとしても、原稿と記録紙とが互いに干渉して原稿送りや記録紙送りがスムースに行えないといった事態は生じにくくなるといった利点が得られる。
【００１２】
好ましい実施の形態においては、上記ケースの上記基板がはみ出す側の側面は、その上端部が、その下端部よりも上記基板の他側部に向かう方向側に変移している。
【００１３】
上記構成では、上記ケースの上記基板がはみ出す側の側面は、その上端部が、その下端部よりも上記基板の他側部に向かう方向側に変移するようにして上記ケースの形状が設計されている。すなわち、上記ケースの形状を工夫することによって、上記ケースの上端部が、記録紙用のプラテンローラが配置される上記基板の一側部から退避するようになされている。上記ケースの上端部には、上記透明カバーが配置されることから、結局、上記透明カバー、ひいては原稿用のプラテンローラが記録紙用のプラテンローラから退避するようになされている。したがって、このような構成においても、原稿送り用のプラテンローラと記録紙送り用のプラテンローラとの距離を大きく確保することができる。
【００１４】
本願発明の第２の側面により提供される画像読み書き一体ヘッドは、光源から発せられた光を読み取り原稿の所定領域に導くための内部空間が長手状に延びるようにして形成され、かつこの内部空間と繋がる上部開口が形成されたケースを有し、上記上部開口に嵌め込まれる長手状の透明カバーに密着させて搬送される読み取り原稿に、上記光源からの光を照射し、その反射光を上記ケースの下部に取り付けられた基板に搭載された複数の受光素子において受光する一方、上記基板に搭載された複数の発熱素子のうちの適宜の発熱素子を発熱させることによって記録紙に画像を形成する画像読み書き一体ヘッドであって、上記基板は、幅方向の一側部よりの部位が上記ケースからはみ出しており、このはみ出した部位における上面に、上記各発熱素子が長手状に延びるようにして列状に搭載されており、かつ、上記ケースの上記基板がはみ出す側の側面は、その上端部が下端部よりも上記基板の他側部に向かう方向側に変移していることを特徴としている。
【００１５】
本側面の画像読み書き一体ヘッドにおいても、上記ケースの上端部が、記録紙用のプラテンローラが配置される上記基板の一側部から退避するようになされており、原稿送り用のプラテンローラと記録紙送り用のプラテンローラとの距離を大きく確保することができる。
【００１６】
本願発明の第３の側面により提供される画像読み書き一体ヘッドは、光源から発せられた光を読み取り原稿の所定領域に導くための内部空間が長手状に延びるようにして形成され、かつこの内部空間と繋がる上部開口が形成されたケースを有し、上記上部開口に嵌め込まれる長手状の透明カバーに密着させて搬送される読み取り原稿に、上記光源からの光を照射し、その反射光を上記ケース内に収容配置された集光レンズによって集光して上記ケースの下部に取り付けられた基板に搭載された複数の受光素子において受光する一方、上記基板に搭載された複数の発熱素子のうちの適宜の発熱素子を発熱させることによって記録紙に画像を形成する画像読み書き一体ヘッドであって、上記基板は、幅方向の一側部よりの部位が上記ケースからはみ出しており、このはみ出した部位における上面に、上記各発熱素子が長手状に延びるようにして列状に搭載されており、上記集光レンズは、上記基板の幅方向の他側部に向かう方向側に傾倒した状態で上記ケース内に配置されていることを特徴としている。
【００１７】
画像読み書き一体ヘッドにおいては、原稿の読み取りラインと受光素子の間に上記集光レンズが配置される。言い換えれば、上記受光素子と集光レンズとを結ぶ直線上に読み取りラインが設定され、原稿送り用のプラテンローラが配置される。このため、上記集光レンズが上記基板の幅方向の他側部に向かう方向側に傾倒した構成では、上記受光素子の直上よりも上記基板の幅方向の他側部よりの部位に読み取りラインが設定され、原稿送り用のプラテンローラが配置されることになる。上述したように、上記基板の幅方向の一側部よりの部位が上記ケースからはみ出し、このはみ出し部分の上面に各発熱素子が形成された構成では、記録紙送り用のプラテンローラが上記ケースの側方に配置されることから、原稿送り用のプラテンローラと記録紙送り用のプラテンローラとが比較的離間して配置されることになる。したがって、本側面の画像読み書き一体ヘッドにおいても、上記各プラテンローラの間の距離を大きく確保して、原稿と記録紙とが互いに干渉することなく、スムースに原稿送りや記録紙送りを行うことができるようになる。
【００１８】
また、上記集光レンズを傾斜状とすれば、上記ケースの厚み寸法を大きくすることなく読み取りラインと上記受光素子との距離（原稿からの反射光の光路長）を大きく確保することができ、読み取り画像の質を高めることができるといった利点が得られる。
【００１９】
本願発明の第４の側面により提供される画像読み書き一体ヘッドは、上述した第１ないし第３の側面において記載したいずれか画像読み書き一体ヘッドであって、上記内部空間の内壁面の少なくとも一部は、光反射率の高い白色系の反射面とされていることを特徴としている。
【００２０】
光源から発せられた光は上記空間内を進行する際に上記空間の内壁面において反射しつつ進行するが、上記構成では、その内壁面が光反射率の高いものとされている。このため、従来のように光の反射率の低い黒色系の樹脂などによって上記空間の内壁面が構成されている場合と比較すれば、光源から発せられた光が進行する際の光のロスを少なくすることができる。すなわち、光源から発せられた光を上記反射面において高い反射率で反射させながら、それらの光を画像読み取り領域に効率良く導くことができる。
【００２１】
したがって、本側面の画像読み書き一体ヘッドでは、画像読み取り領域を高い照度をもって照明すべく発光量の大きい光源を用いたり、あるいは多数の光源を用いるなどして対応する必要はない。これにより、画像読み書き一体ヘッドの製造コストの低減を図るとともに、ランニングコストの低減を図ることができる。しかも、上記画像読み書き一体ヘッドでは、画像読み取り領域を高い照度をもって照明するといった本質的な要求に応えているために、読み取り画像を質を高め、ひいては記録紙に記録される原稿画像の再現性を高めることができる。
【００２２】
なお、上記空間と内壁面を白色系の反射面とする手段としては、上記ケース全体を白色系の樹脂によって形成する手段、上記空間の内壁面を白色に塗装する手段、上記空間の内壁面に白色シートなどの白色部材を取り付ける手段などを適宜適用することができる。
【００２３】
上記ケース全体を白色系の樹脂によって形成する場合には、上記ケースに上記各受光素子を収容配置する空間室を形成し、この空間室の内壁面を覆うようにして光反射防止手段を設けて、上記空間室の内壁面よりも光反射率の低い光吸収面によって上記各受光素子の列を囲むのが好ましい。
【００２４】
このような構成によれば、受光素子が配置される空間室に光反射防止手段が設けられて受光素子列の周りが光反射率の低い光吸収面とされている。このため、上記空間室内において光が乱反射するような事態が適切に防止され、乱反射光の多くが上記各受光素子に入射するような事態が回避される。したがって、上記ケース全体を白色系の樹脂によって形成したことに起因して読み取り画像の解像度が低下したり、あるいは原稿画像の再現性が低下したりすることを回避することができる。
【００２５】
なお、上記光吸収面は、上記空間室内に嵌合装着された黒色系の部材によって構成されており、また、上記光吸収面を、上記空間室の内壁面に塗着形成された黒色系の塗装膜、または上記空間室の内壁面に接着された黒色系のシートもしくはフィルムによって構成することもできる。
【００２６】
本願発明の第５の側面により提供される画像読み書き一体ヘッドは、上述した第１ないし第３の側面のいずれかにおいて記載した画像読み書き一体ヘッドであって、上記内部空間内に、上記光源から発せられた光を読み取り領域に効率良く導くための透明の導光部材が収容されていることを特徴としている。
【００２７】
すなわち、上記ケースの形状を工夫して原稿送り用のプラテンローラを記録紙送り用のプラテンローラから退避させて配置するといった本願発明の第１ないし第３の側面において記載された技術思想は、上記ケースの内部空間内において光源から発せられた光を進行させて画像読み取り領域に導くように構成された画像読み書き一体ヘッドばかりでなく、上記空間内に透明の導光部材を収容し、この導光部材の内部において光を進行させるように構成された画像読み書き一体ヘッドにおいても同様に適用できる。
【００２８】
本願発明のその他の特徴および利点は、添付図面を参照して以下に行う詳細な説明によって、より明らかとなろう。
【００２９】
【発明の実施の形態】
以下、本願発明の好ましい実施の形態を、図面を参照して具体的に説明する。
【００３０】
図１は、本願発明の第１の実施形態に係る画像読み書き一体ヘッドの分解斜視図であり、図２は、上記画像読み書き一体ヘッドの断面図である。なお、これらの図において、従来例を説明するために参照した図面に表されていた部材および要素などと同等なものには同一の符号を付してある。
【００３１】
上記画像読み書き一体ヘッドＸは、上下に開口１０，１５が形成されたケース１と、ガラス板など透明カバー２と、長矩形状の基板４と、細長状とされたレンズアレイ５（集光レンズ）とを備えて大略構成されている。
【００３２】
上記ケース１は、主走査方向に長手状に延びるようにして上記各開口１０，１５に繋がる内部空間１２が形成されて、全体として一定方向に延びた細長な箱状とされている。そして、上記ケース１の長手状の１つの側面１ａがテーパ状に形成されて、上記ケース１の上部に向かうほど幅細となるような形状とされているとともに、上記側面１ａ側の上下寸法が大きくなされて上部開口面が傾斜している。上記ケース１にはさらに、上記上部開口１０に繋がるととも上記内部空間１１に併設して長手状の嵌合溝１６が形成されており、この嵌合溝１６の下方には、この嵌合溝１６および上記下部開口１５のそれぞれと繋がる空間室１１が形成されている。
【００３３】
このような形状のケース１は、たとえばポリカーボネイトに酸化チタンを含有させた白色系の樹脂材料を用いた金型成形によって形成されており、このケース１の表面の各所は光の反射率の高い（光反射率が９７％ないし９８％程度）白色系とされている。すなわち、上記内部空間１２の内壁面１２ａ，１２ｂも光反射率の高い反射面とされている。この内部空間１２は、光源３から発せられた光が進行する空間であり、この内部空間１２を進行する光は上記内壁面１２ａ，１２ｂにおいて反射しつつ進行する。このため、上記内壁面１２ａ，１２ｂが光反射率の高いものとされていれば、光源３から発せられた光を上記内壁面１２ａ，１２ｂにおいて高い反射率で反射させながら、それらの光を読み取りラインＬに効率良く導くことができ、光源３から発せられた光が進行する際の光のロスを少なくすることができる。
【００３４】
上記空間室１１には、黒色の樹脂によって形成された黒色部材６が設けられており、これによって上記空間室１１の内壁面１１ａが上記黒色部材６によって覆われた恰好とされている。この黒色部材６は、一定方向に延びる細長状とされており、その一般断面は下向きに開放した略コの字状とされている。すなわち、それぞれ長さの異なる左右２つの立ち上がり部６１，６２と、これらの立ち上がり部６１，６２を繋ぐテーパ状の基部６０とを有している。また、上記基部６０には、上記レンズアレイ４を通過した光が上記空間室１１に到達できるように、上下に貫通する貫通孔６３が形成されており、この基部６０には、上方に突出する突起６４が長手方向に一定間隔で複数設けられている。
【００３５】
このような形状の黒色部材６は、ＡＢＳ樹脂などの黒色の樹脂材料を金型成形するなどして形成されており、その表面の各所は光反射率の極めて低くなるようになされている。このため、上記黒色部材６を設けた場合に形成される上記空間室１１の内壁面６０は、上記黒色部材６によって光反射率の低い光吸収面とされている。なお、この黒色部材は、上記各突起６４を上記空間室１１の上部に形成された突起に嵌合させることによって装着される。
【００３６】
なお、上記光吸収面６０は、上記空間室１１の内壁面１１ａに塗着形成された黒色系の塗装膜、または上記空間室１１の内壁面１１ａに接着された黒色系のシートもしくはフィルムによって構成することもできる。
【００３７】
上記透明カバー２は、上記上部開口１０に嵌め込まれるが、上部開口面が傾斜していることから、上記透明カバー２を嵌め込んだ状態では、上記透明カバー２が傾斜させられている。また、上記画像読み書き一体ヘッドＸを画像処理装置（図示略）に組み込んだ状態では、上記透明カバー２に対向する位置に図示しない駆動力によって回転自在とされたプラテンローラＰ1 が配置される。すなわち、このプラテンローラＰ1 が回転することによって、原稿Ｄが上記透明カバー２と上記プラテンローラＰ1 との間に挟まれた恰好で、上記原稿Ｄを上記透明カバー２に密着させた状態で搬送される。なお、上記原稿Ｄの搬送は、上記プラテンローラＰ1 の回転を制御することによって間欠移送および連続移送のいずれをも選択可能であるが、本実施形態ではいずれの移送方法を採用してもよい。
【００３８】
一方、上記ケース１の下部には、上記下部開口１５を塞ぐようにして上記基板４が嵌め込まれているが、この基板４の幅方向の一側部４２側は、平面視において上記ケース１の側部からはみ出すようになされている。
【００３９】
上記基板４のはみ出した部位、すなわち上記基板４の幅方向の一側部４２よりの部位の上面には、長手方向に延びるようにして発熱抵抗体４０が形成されている一方、上記基板４の他側部４３よりの部位には、複数の光源３が上記基板４の長手方向に列状に並ぶようにして実装されている。そして、これらの光源３に併設して複数のイメージセンサチップ４ａが列状に実装されている。
【００４０】
上記発熱抵抗体４０は、たとえば酸化ルテニウムなどを導体成分とする厚膜抵抗ペーストを印刷・焼成することによって形成されている。この発熱抵抗体４０は、図示しない個別電極や共通電極などの配線パターンによって電気的に分断されて複数の発熱素子（４ｂ）が列状に形成されたような恰好とされており、各発熱素子４ｂは上記基板４に実装された複数個の駆動ＩＣ８によって個別に発熱駆動させられる。
【００４１】
上記画像読み書き一体ヘッドＸを画像処理装置に組み込んだ場合には、上記発熱抵抗体４０に密着するようにして上記基板４の上面側にプラテンローラＰ2 が配置される。このため、図６を参照して説明した従来の画像読み書き一体ヘッドＹ、すなわち上記ケース１の上方および下方のそれぞれに各プラテンローラＰ1 ，Ｐ2 が配置された画像読み書き一体ヘッドＹと比較すれば、上記画像読み書き一体ヘッドＸを組み込んだ画像処理装置では、その上下寸法を格段に小さくすることができる。
【００４２】
また、上記ケース１における上記プラテンローラＰ2 と対向する面１ａが傾斜とされて、上記ケース１の上部が上記プラテンローラＰ2 から退避した恰好とされているため、上記各プラテンローラＰ1 ，Ｐ2 の大きく離間させることができる。さらに、上記透明カバー２が上記プラテンローラＰ2 から離間した側が下方に沈んだ傾斜状に配置されていることから、これによっても上記各プラテンローラＰ1 ，Ｐ2 が大きく離間させられている。すなわち、透明カバー２が基板に対して平行になされている場合と比較すれば明らかなように、上記のようにして透明カバーを傾斜させた場合には、プラテンローラＰ1 の回転中心が、プラテンローラＰ2 からより大きく退避することとなり、各プラテンローラＰ1 ，Ｐ2 の距離を大きく確保することができる。
【００４３】
上記各イメージセンサチップ４ａは、これらを上記基板４に実装した状態において上記ケース１に取り付けた場合には、上記ケース１に形成された空間室１１内に収容されるようになされている。すなわち、上記空間室１１を覆うようにして上記黒色部材６が設けられていることから、上記イメージセンサチップ４ａの列は上記黒色部材６の基部６０および各立ち上がり部６１，６２によって囲まれることになる。上記黒色部材６は、その表面の各所が光の反射率の低い面とされていることから、上記イメージセンサチップ４ａは光吸収面６０によって囲まれることになる。このため、上記空間室１１内において光が乱反射してしまうといった事態が適切に防止され、乱反射光の多くが上記各イメージセンサチップ４ａに入射してしまうといった事態が回避される。したがって、上記黒色部材６を設けることによって、上記ケース１全体を白色系の樹脂によって形成したことに起因して読み取り画像の解像度が低下したり、あるいは原稿画像の再現性が低下したりすることを回避される。
【００４４】
なお、上記画像読み書き一体ヘッドＸがＡ４幅の原稿Ｄを８ドット／ｍｍの読み取り密度で読み取るように構成されている場合には、１７２８個の受光素子を読み取り幅方向に配置させる必要があるが、たとえば９６個の受光素子を造り込んでイメージセンサチップ４ａを構成すれば、上記基板４上には計１８個のイメージセンサチップ４ａが実装される。
【００４５】
ところで、上記ケース１が白色樹脂によって形成され、上記内部空間１２の内壁面１２ａ，１２ｂが光反射面とされているいることから、上記光源３から発せられた光は効率良く読み取りラインＬに到達することができる。このため、上記画像読み書き一体ヘッドＸでは、読み取りラインＬを高い照度をもって照明すべく発光量を大きい光源を用いたり、あるいは多数の光源を用いるなどして対応する必要はない。これにより、画像読み書き一体ヘッドＸの製造コストの低減を図るとともに、ランニングコストの低減を図ることができる。しかも、上記画像読み書き一体ヘッドでは、画像読み取り領域を高い照度をもって照明するといった本質的な要求に応えているために、読み取り画像を質を高め、ひいては記録紙に記録される原稿画像の再現性を高めることができる。
【００４６】
なお、上記画像読み書き一体ヘッドＸが、原稿Ｄの画像を白黒に読み取るように構成されている場合には、上記光源３としてはＬＥＤなどが用いられ、また、上記画像読み書き一体ヘッドＸがＡ４幅の原稿Ｄを読み取るように構成されている場合には、上記光源３がたとえば１４個実装される。もちろん、赤色、緑色および青色の光をそれぞれ発するＬＥＤなどの光源を使用して、あるいは白色の光を発する光源を使用して原稿Ｄの画像をカラーに読み取るように構成してもよい。
【００４７】
上記レンズアレイ５は、主走査方向に延びるブロック上のレンズホルダ５０に、複数個のセルフォックレンズ５１を列状に保持させたものである。このレンズアレイ５は、上記ケース１に形成された嵌合溝１６に嵌合保持され、上記透明カバー２に設定された読み取りラインＬとイメージセンサチップ４ａの列との間に配置されている。上記嵌合溝１６は、上記ケース１の主走査方向に延びる長手状に形成されているとともに、テーパ状とされた上記ケース１の側面１に対して断面視において平行状となるようにして形成されている。すなわち、上記嵌合溝１６に上記レンズアレイ５が保持された状態では、上記レンズアレイ５が上記基板の幅方向の他側部４３側に傾倒したような恰好とされている。
【００４８】
このレンズアレイ５においては、透明カバー２に密着させて搬送される原稿Ｄから反射してくる光が上記イメージセンサチップ４ａの列上に集光され、上記各イメージセンサチップ４ａの受光素子には原稿Ｄの画像が正立等倍に結像する。そして、上記レンズアレイ５が傾斜状とされていることから、同じ厚み寸法を有するケース１内に直立状にレンズアレイ５が保持される場合と比較すれば、読み取りラインＬとイメージセンサチップ４ａとの間の距離を大きく確保することができるため、読み取り画像の質を高めることができる。
【００４９】
このように構成された画像読み書き一体ヘッドＸでは、画像読み取り機能と画像記録機能を併有している。たとえば、原稿Ｄの画像を読み取り動作は、以下のようにして行われる。すなわち、プラテンローラＰ1 が回転することによって上記透明カバー２に密着して原稿Ｄが搬送されるが、この過程において光源３からの光によって原稿Ｄの読み取りラインＬが照明される。そして、原稿Ｄからの反射光が上記レンズアレイ４によって集光され、イメージセンサチップ４ａ上に原稿Ｄの画像が結像される。このイメージセンサチップ４ａでは、受光された光の光量に応じて出力レベルのアナログ信号が出力されるが、この信号は図示しないコネクタからケーブルを介して画像読み書き一体ヘッドＸの外部に取り出されて、１ライン分の画像が読み取られたことになる。原稿ＤはプラテンローラＰ1 によって図中の矢印方向に１ライン分づつ次々に間欠的に送られ、あるいは連続的に送られて、同様な読み取り動作が次々と行われて原稿Ｄ全体の画像が読み取られる。
【００５０】
一方、記録紙Ｋに画像を記録する場合には、画像読み書き一体ヘッドＸの外部から上記各駆動ＩＣ８に画像データが入力される。これらの駆動ＩＣ８は、上記基板４に形成された配線パターン（図示略）によってコネクタと導通させられているため、外部からの画像データは、ケーブル、コネクタおよび配線パターンを介して上記各駆動ＩＣ８に入力される。そして、各駆動ＩＣ８に入力された画像データに基づいて駆動すべき発熱素子を選択し、選択させた発熱素子に通電して発熱させる。これにより、記録紙Ｋには１ライン分の画像が記録される。記録紙ＫはプラテンローラＰ2 によって図中の矢印方向に１ライン分づつ次々と間欠的に送られ、あるいは連続的に送られて、同様な記録動作が次々と行われてる。
【００５１】
ところで、上記した画像読み取り動作および画像記録動作は、それぞれ単独で行われることもあるが、これらの動作が同時に行われる場合がある。この場合には、プラテンローラＰ1 における原稿送りとプラテンローラＰ2 による記録紙送りとが同時に行われることになるため、原稿Ｄと記録紙Ｋとが干渉して原稿Ｄや記録紙Ｋの送りをスムースに行うことができないといった事態が生じかねない。しかしながら、上記画像読み書き一体ヘッドＸでは、上記プラテンローラＰ1 とプラテンローラＰ2 の距離が大きく確保されているため、原稿Ｄと記録紙Ｋが干渉せずに原稿Ｄや記録紙Ｋの送りをスムースに行えるようになされている。
【００５２】
なお、上記画像読み書き一体ヘッドＸでは、上記ケース１全体が白色樹脂によって形成されて上記内部空間１２の内壁面１２ａ，１２ｂが反射率の高い面とさされていたが、上記内壁面１２ａ，１２ｂを反射率の高い面とする手段としては、上記ケース１全体を白色系の樹脂によって形成する手段には限定されず種々の手段を採用することができる。たとえば、図３に示すように、上記内壁面１２ａ，１２ｂを白色に塗装して塗膜１２Ａを形成する手段、あるいは上記内壁面１２ａ，１２ｂに白色シートなどの白色部材１２Ａを取り付ける手段などを適宜適用することができる。
【００５３】
また、上記実施形態では、空洞とされた内部空間１２内を光源３から発せられた光が読み取りラインＬに向かって進行するように構成された画像読み書き一体ヘッドＸについて説明したが、上記ケース１の形状を工夫してプラテンローラＰ1 をプラテンローラＰ2 から退避させるといった技術思想は、その他の構成の画像読み書き一体ヘッドＸにも適用することができる。すなわち、図４に示すように、ケース１の内部空間１１内に、上記光源３から発せられた光を読み取りラインＬに効率良く導くための透明の導光部材７が収容された構成の画像読み書き一体ヘッドＸにも適用することができる。
【００５４】
さらに、図５に示したように、上記透明カバー２を上記基板４に対して平行になるように配置し、上記ケース１におけるプラテンローラＰ2 との対向面１ａをテーパ状に構成した画像読み書き一体ヘッドＸも本願発明の適用範囲である。この場合にも、上記対向面１ａが傾斜しているために上記ケース１の上部（透明カバー）を上記プラテンローラＰ2 から退避させることができる。もちろん、上記ケース１におけるプラテンローラＰ2 との対向面１ａを垂直状にし、上記透明カバー２を傾斜状に配置した構成のものも本願発明の適用範囲である。
【図面の簡単な説明】
【図１】本願発明の画像読み書き一体ヘッドの一例を表す分解斜視図である。
【図２】上記画像読み書き一体ヘッドの断面図である。
【図３】上記画像読み書き一体ヘッドの変形例の断面図である。
【図４】上記画像読み書き一体ヘッドのその他の変形例の断面図である。
【図５】上記画像読み書き一体ヘッドのさらにその他の変形例の断面図である。
【図６】従来例の画像読み書き一体ヘッドの一例を表す断面図である。
【符号の説明】
Ｘ  画像読み書き一体ヘッド
１  ケース
２  透明カバー
３  光源
４  基板
４ａ  イメージセンサチップ（受光素子）
４ｂ  発熱素子
６  黒色部材（光反射防止手段としての）
１０  上部開口（ケースの）
１１  空間室（ケースの）
１２  内部空間（ケースの）
１２ａ，１２ｂ  内壁面（内部空間の）
Ｄ  原稿
Ｋ  記録紙
Ｌ  読み取りライン
【図１】
0003703967.tif 000002
【図２】
0003703967.tif 000003
【図３】
0003703967.tif 000004
【図４】
0003703967.tif 000005
【図５】
0003703967.tif 000006
【図６】
0003703967.tif 000007